(57)【特許請求の範囲】
【請求項１】
素管内にフローティングプラグとこのフローティングプラグに連結軸を介して相対的に回転可能に連結された溝付プラグとを挿入し、その素管を保持ダイス及び複数個の転圧ボールによって順次縮径加工すると共に、フローティングプラグを保持ダイスに係合させることにより溝付プラグを転圧ボールの配設位置に位置させ、転圧ボールにより素管の内面を溝付プラグに押圧することにより素管の内面に溝付プラグの溝形状を転写する内面溝付管の加工方法において、溝付プラグとして、管軸方向にリード角、溝深さ、溝幅、溝数などの溝形状が異なる複数の溝パターンを持つ溝付プラグ或いはリード角、溝深さ、溝幅、溝数などの溝形状が連続的に変化した溝付プラグを用いるとともに、溝付プラグ又は転圧ボールを管軸方向に連続的に或いは間欠的に往復運動させながら管内面に溝加工を行うことを特徴とする内面溝付管の加工方法。
【請求項２】
素管内にフローティングプラグとこのフローティングプラグに連結軸を介して相対的に回転可能に連結された溝付プラグとを挿入し、その素管を保持ダイス及び複数個の転圧ボールによって順次縮径加工すると共に、フローティングプラグを保持ダイスに係合させることにより溝付プラグを転圧ボールの配設位置に位置させ、転圧ボールにより素管の内面を溝付プラグに押圧することにより素管の内面に溝付プラグの溝形状を転写する内面溝付管の加工方法において、溝付プラグとして、管軸方向にリード角、溝深さ、溝幅、溝数などの溝形状が異なる複数の溝パターンを持つ溝付プラグ或いはリード角、溝深さ、溝幅、溝数などの溝形状が連続的に変化した溝付プラグを用いるとともに、溝付プラグの溝パターンの境界位置で、転圧ボールを管軸と交差角度θで交差する中心軸を中心に回転駆動することにより管内面に溝加工を行うことを特徴とする内面溝付管の加工方法。
【請求項３】
交差角度θが１〜２０度である請求項２に記載の内面溝付管の加工方法。
【発明の詳細な説明】
【０００１】
【発明の属する技術分野】
本発明は、管内面に溝が形成された内面溝付管の加工方法に関し、具体的には家庭用及び業務用エアコン等の空冷式熱交換器に使用される内面溝付伝熱管の加工方法に関するものである。
【０００２】
【従来の技術】
空冷式熱交換器の凝縮器及び蒸発器には、管内面に螺旋状の溝を形成して熱伝達効率を向上させた内面溝付管が使用されている。図２０は、従来の内面溝付管の加工装置を示す管中心軸（以下管軸と称す）方向の模式的断面図である。この図２０を参照して従来の内面溝付管の加工装置と加工方法について説明する。
【０００３】
素管１８の内部にはフローティングプラグ１２が挿入されている。このフローティングプラグ１２は、管供給側（図面において左側が供給側、右側が引抜き側となる。）の外径が素管１８の内径よりやや小さく、管引抜き側の外径は管供給側のものよりも小さい略円錐台形である。このフローティングプラグ１２と対応する位置の素管１８の外面には、フローティングプラグ１２と共に素管１８を縮径加工する保持ダイス１１が配置されている。
【０００４】
また、フローティングプラグ１２には連結軸１４を介して略円柱形の溝付プラグ１３が連結されている。この溝付プラグ１３の外周面には素管１８の内周面に形成すべき形状の溝が加工されている。更に、この溝付プラグ１３は連結軸１４を軸として自在に回転することができる。そして、この溝付プラグ１３に対応する位置の素管１８の外面には、複数個の転圧ボール１５が管周方向に並んで配設されている。この転圧ボール１５は加工リング３１に収容されて相互に適長間隔をおいて配置されており、この加工リング３１により転圧ボール１５は管軸方向における所定位置に保持される。
【０００５】
上記加工リング３１はモータ１９の駆動軸３２に接続されている。モータ１９は円筒状の駆動軸３２と、この駆動軸３２を磁場により回転させるコイル３３とを有し、コイル３３に給電することにより駆動軸３２が回転駆動され、加工リング３１を管軸と同軸上で回転駆動する。この加工リング３１の回転により、転圧ボール１５は管軸を中心として管周方向に回転する。なお、モータ１９の中心を素管１８が通過する。また、転圧ボール１５の管引抜き方向下流側には、内面にフィンを形成された素管１８の外径を所定の寸法に縮管加工する仕上げダイス１７が素管１８に接して設けられている。
【０００６】
上記のように構成された内面溝付管の加工装置を用いた従来の加工方法は以下のとおりである。フローティングプラグ１２は素管１８の先端内に挿入されその位置を機械的又は磁気的な手段により保持されている。そして、この状態から素管１８の先端が保持ダイス１１を通し仕上げダイス１７へと供給され、またフローティングプラグ１２の保持が開放される。この後、素管１８の引抜き開始の移動に伴ってフローティングプラグ１２が保持ダイス１１と対応する位置まで移動する。そしてこの後の引抜きにより、素管１８はフローティングプラグ１２及び保持ダイス１１により縮管加工され、更に後続する転圧ボール１５により縮管されると共に、この転圧ボール１５による圧下力を受けて素管１８の内部に配置されている溝付プラグ１３に押圧される。
【０００７】
上記溝付プラグ１３は連結軸１４を介してフローティングプラグ１２に連結されており、フローティングプラグ１２は素管１８の引抜きによる摩擦力と、保持ダイス１１からの抗力とにより保持ダイス１１と対応する位置に静止しているので、溝付プラグ１３も転圧ボール１５と対応する位置に止まっている。従って、転圧ボール１５を素管１８の外周面に転接して円周方向に回転駆動すると、溝付プラグ１３との共働作用により、素管１８の内周面に溝付プラグ１３の外周面に形成されている溝形状が転写されてフィン１６が形成される。このとき、溝付プラグ１３は素管１８を引抜くことにより、溝付プラグ１３の周面に刻まれた溝により回転する。また、その内面にフィン１６を形成された素管１８は仕上げダイス１７により縮管加工され、所望の外径を有する内面溝付管が製造される。
【０００８】
ところで近年、冷凍機やルームエアコンなどの空調機用熱交換器に使用される伝熱管には、伝熱性能を高めるため、上述したような内面に微細な多数の螺旋状の溝を形成した伝熱管が使用されている。一方、伝熱管内に流通させる冷媒として従来使用されていたフレオンＲ２２，Ｒ２１などは、地球のオゾン層を破壊するので全廃される方向に推移しており、オゾン層を破壊しないフレオンＲ３２，Ｒ１３４ａ，Ｒ１２５などの代替品に代りつつある。特に、これらの冷媒を混合した「Ｒ３２／Ｒ１３４ａ／Ｒ１２５」や、「Ｒ３２／Ｒ１２５」などの混合冷媒は、従来のフレオンＲ２２などに近い特性を有し、しかも不燃性であるため代替品として高く評価されている。
【０００９】
しかしながら、上記「Ｒ３２／Ｒ１３４ａ／Ｒ１２５」や、「Ｒ３２／Ｒ１２５」などの混合冷媒は、非共沸冷媒であって、液化開始温度（露点）と気化開始温度（沸点）が異なるため、蒸発又は凝縮する際に、液相側に高沸点成分が濃縮するとともに、気相側に低沸点成分が濃縮する。そして、この濃度差が拡散抵抗や熱抵抗を生じさせ、蒸発又は凝縮の際における熱伝達率を低下させる。そこで、前述のような冷媒の伝熱性能を維持あるいは向上させるために、特開平１０−２１１５３７号公報、特開平１０−２３８９８４号公報には異なるリード角の内面溝を持つ伝熱管が提案されている。
【００１０】
また、上記特開平１０−２３８９８４号公報に記載されているように、金属製の帯板を造管溶接して製造されるいわゆるシーム管も伝熱管として使用可能であって、同公報に説明されているように、この造管溶接による方法では、帯板の内面側に溝模様を形成しておき、後に造管溶接することによって内面溝付管が得られる。この場合、周方向に複数種類のパターンを有する溝模様を、金属管の内面に形成することができる。例えば、金属管内面に軸方向に沿った複数本の仮想境界線を設定し、その仮想境界線に対して対称となるように、方向が異なる斜めの溝模様を交互に配設することもできる。すなわち、仮想境界線を挟んで交わる斜めの溝により、恰も松葉のような形状を有する溝模様（以下、松葉溝という）を形成することができる。
【００１１】
また、同公報に説明されているように、伝熱管に松葉溝を形成した場合、溝に沿って流動する冷媒が仮想境界線上で衝突するようになり、良好に熱交換効率を向上させることができる。更に、近年、フロンガスの代替冷媒を使用することが種々の熱交換器で検討されている。これに伴って、前記のような特殊な溝模様を形成した内面溝付管を伝熱管として使用し、熱交換器の熱交換効率を向上させる要請も高まっている。
【００１２】
【発明が解決しようとする課題】
ところが、上記造管溶接によって製造された内面溝付管には、同公報に指摘されているように、全長に渡って溶接部が形成されており、この溶接部では冷媒漏れが発生する可能性が他の部分に比べて高いため、信頼性・耐久性が若干低下する、といった問題が懸念される。
【００１３】
一方、上記特開平１０−２１１５３７号公報には、次の如き構成の伝熱管の製造方法が提案されている。すなわち、第１の溝付きプラグと、第１の溝付きプラグとは軸心に対するリード角、溝形状、溝ピッチ又は溝寸法のいずれか一つ以上を異にする溝を外周に有する第２の溝付きプラグとを、金属管へ所定の間隔でかつ回転自在に挿入する工程と、前記金属管を一定方向へ引抜きながら、前記第１の溝付きプラグの回りに適数の第１段加工ボールを遊星回転させつつ、この第１段加工ボールにより前記金属管を第１の溝付きプラグへ押圧し、当該金属管の内面に前記第１段加工ボールによって押圧されていない所定幅の螺旋状平滑部を残して、管軸方向に不連続な多数の小さい所定長さの第１種の溝を螺旋状に形成し、次いで、前記第２の溝付きプラグの回りに適数の第２段加工ボールを遊星回転させつつ、この第２段加工ボールにより前記金属管を第２の溝付きプラグへ押圧し、当該金属管内面の前記螺旋状平滑部へ管軸方向に不連続な多数の小さい所定長さの第２種の溝を形成する工程とを含む、伝熱管の製造方法である。
【００１４】
しかしながら、上記提案の製造方法では、溶接部が無く、溶接部での冷媒漏れの懸念のない伝熱管が製造し得るものの、金属管の内面に所定幅の螺旋状平滑部を残して管軸方向に不連続な多数の小さい所定長さの第１種の溝を螺旋状に形成した後に、前記残した螺旋状平滑部へ管軸方向に不連続な多数の小さい所定長さの第２種の溝を形成するものであるため、螺旋状平滑部を残しそこに第２種の溝パターンを形成するためには引抜速度とボール回転数を精度良く制御する必要があり、仮に引抜速度とボール回転数の比率（引抜速度／ボール回転数）が第１種の溝パターンの管軸方向長さを超えるような場合には螺旋状平滑部は残らず第２種の溝パターンが第１種の溝パターンに重なって形成されることになり、また制御によっては、第１種の溝パターンと第２種の溝パターンが幅方向の何れか一端あるいは両端で重なって形成されたり、又は何れか一端あるいは両端に平滑部が残ったままとなることが懸念される。
【００１５】
特開平１０−２３８９８４号公報には、金属管内に溝付プラグを挿入し、上記金属管を軸方向に移動させつつ、アウターレースの内周面で回転軌道を決められた複数のボールを上記金属管の外周面に接触させながら遊星回転させる転造方式により、上記金属管を縮径すると共に上記金属管の内面に溝を形成する内面溝付管の製造方法において、上記アウターレースの内周面を、回転中心からの半径が周方向に沿って滑らかに変化する曲面とし、上記ボールから上記金属管の外周面に加わる押圧量を所定値に調整して上記転造方式により溝を形成し、該溝の形成工程の前または後に、上記溝付プラグ外周のパターンと、上記アウターレースの回転位相または内周面の形状とを共に異ならせて、上記転造方式による他の溝の形成を行うことにより、管内面周方向に異なる複数の溝パターンを、管全長にわたって螺旋状に成形する、内面溝付管の製造方法が提案されている。
【００１６】
しかしながら、上記特開平１０−２３８９８４号公報に提案の製造方法では、管体の全周に渡って接合部をどこにも有さず、管体内面の溝模様が周方向に複数種類のパターンを有する内面溝付管を容易に製造し得るものの、引抜方向の前後で２回の溝加工を行うため、従来技術の様に１回の溝加工を行う場合に比べてアウターレースを含む溝加工装置の引抜方向長さが大きくなる。そのため、装置偏芯や振動を防止して、管の肉厚変動の少ない溝付管を成形するためには、従来技術の様に１回の溝加工を行う場合に比べてより大きな装置剛性が必要となる。また一方、転圧ボールは断面で楕円に構成されたアウターレースの内周面を高速で転動するため、溝加工の際の回転運動時に金属管の径方向に往復運動し、また素管への押圧量も変動しているため、加工装置や溝プラグの振動を引き起こしやすく、振動を防止するためさらに剛性が必要になる。
【００１７】
本発明は、上述の如き技術背景をもとになしたものであって、その目的は、比較的簡便な構造でもって、管内面に、管軸方向に複数の異なる溝パターンを持つ内面溝、あるいは連続的に変化した溝パターンを持つ内面溝を形成し得るとともに、溝変化がより大きく、冷媒の乱流をより活発化させ得る内面溝付管の加工方法を提供するものである。
【００１８】
【課題を解決するための手段】
上記の目的を達成するために、本発明（請求項１）に係る内面溝付管の加工方法は、素管内にフローティングプラグとこのフローティングプラグに連結軸を介して相対的に回転可能に連結された溝付プラグとを挿入し、その素管を保持ダイス及び複数個の転圧ボールによって順次縮径加工すると共に、フローティングプラグを保持ダイスに係合させることにより溝付プラグを転圧ボールの配設位置に位置させ、転圧ボールにより素管の内面を溝付プラグに押圧することにより素管の内面に溝付プラグの溝形状を転写する内面溝付管の加工方法において、溝付プラグとして、管軸方向にリード角、溝深さ、溝幅、溝数などの溝形状が異なる複数の溝パターンを持つ溝付プラグ或いはリード角、溝深さ、溝幅、溝数などの溝形状が連続的に変化した溝付プラグを用いるとともに、溝付プラグ又は転圧ボールを管軸方向に連続的に或いは間欠的に往復運動させながら管内面に溝加工を行うものである。
【００１９】
上記の構成では、溝付プラグ又は転圧ボールを素管の管軸方向に往復運動させることにより、内面溝加工が行われる溝プラグ表面の位置が変化する。ここで、溝付プラグは管軸方向に異なる溝パターンを持っているため、成形される内面溝は管軸方向に複数の異なる溝パターンを持つ内面溝、あるいは、連続的に変化した溝パターンを持つ内面溝が形成できる。また、溝付プラグ又は転圧ボールの往復運動の周期を制御することにより、溝パターンの管軸方向長さを自由に制御することができる。更に、内面溝加工が行われる溝プラグ表面の位置を変化させる時以外は、転圧ボールや回転駆動等の加工装置の構成は従来技術に図示して説明した装置構成と基本的に変りはなく、振動を必要以上に発生させることなく比較的簡便な構成でもって内面溝の加工ができる。
【００２０】
また、上記の目的を達成するために、本発明（請求項２）に係る内面溝付管の加工方法は、素管内にフローティングプラグとこのフローティングプラグに連結軸を介して相対的に回転可能に連結された溝付プラグとを挿入し、その素管を保持ダイス及び複数個の転圧ボールによって順次縮径加工すると共に、フローティングプラグを保持ダイスに係合させることにより溝付プラグを転圧ボールの配設位置に位置させ、転圧ボールにより素管の内面を溝付プラグに押圧することにより素管の内面に溝付プラグの溝形状を転写する内面溝付管の加工方法において、溝付プラグとして、管軸方向にリード角、溝深さ、溝幅、溝数などの溝形状が異なる複数の溝パターンを持つ溝付プラグ或いはリード角、溝深さ、溝幅、溝数などの溝形状が連続的に変化した溝付プラグを用いるとともに、溝付プラグの溝パターンの境界位置で、転圧ボールを管軸と交差角度θで交差する中心軸を中心に回転駆動することにより管内面に溝加工を行うものである。そして、この場合、交差角度θは１〜２０度であることが望ましい（請求項３）。
【００２１】
上記の構成では、溝付プラグの溝パターンの境界位置で、転圧ボールを管軸と交差角度θで交差する中心軸を中心に回転駆動することにより管内面に溝加工を行うので、溝加工中の転圧ボールの回転軌道は溝付プラグの管軸方向の異なる表面を連続的に通過し、その際、溝付プラグ表面は管軸方向に異なる溝パターンを持っているので、管内面周方向に異なる複数の溝パターンを、管全長にわたって螺旋状に形成することができる。また、その時の交差角度θが大きすぎると、溝付プラグと転圧ボールの隙間が周方向で変動することによる振動の発生や、隙間の狭い側での加工過剰による素管の破断等が発生する。そのため、交差角度θの範囲としては、１〜２０度程度とすることが好ましい。
【００２２】
【発明の実施の形態】
以下、本発明の実施形態を図面に基づいて説明する。図１は、本発明に係る内面溝付管の加工方法（請求項１）を実施するための装置の一例を示す概略断面図である。図において、８は素管、９はモータである。
【００２３】
素管８の内部にはフローティングプラグ２が挿入されている。このフローティングプラグ２は、管供給側（図面において左側が供給側、右側が引抜き側となる。）の外径が素管８の内径よりやや小さく、管引抜き側の外径は管供給側のものよりも小さい略円錐台形である。このフローティングプラグ２と対応する位置の素管８の外面には、フローティングプラグ２と共に素管８を縮径加工する保持ダイス１が配置されている。
【００２４】
また、フローティングプラグ２には連結軸４を介して略円柱形の溝付プラグ３が連結されている。この溝付プラグ３の外周面には素管８の内周面に形成すべき形状の溝が加工されており、本例では図２に示すように、中央部を境として前後に溝形状が異なる溝パターン３Ａ，３Ｂが形成されている。更に、この溝付プラグ３は連結軸４を軸として自在に回転することができる。そして、この溝付プラグ３に対応する位置の素管８の外面には、複数個の転圧ボール５が管周方向に並んで配設されている。この転圧ボール５は加工リング２１に収容されて相互に適長間隔をおいて配置されており、この加工リング２１により転圧ボール５は管軸方向における所定位置に保持される。
【００２５】
上記加工リング２１はモータ９の駆動軸２２に接続されている。モータ９は円筒状の駆動軸２２と、この駆動軸２２を磁場により回転させるコイル２３とを有する一方、図示省略する架台に設けられた往復駆動手段１０により管軸方向に往復駆動され、この往復駆動により転圧ボール５は加工リング２１と共に溝付プラグ３の溝パターン３Ａ，３Ｂの何れかの外周の所定位置に往復移動可能に保持される。また前記コイル２３に給電することにより駆動軸２２が回転駆動され、加工リング２１を管軸と同軸上で回転駆動する。この加工リング２１の回転により、転圧ボール５は管軸を中心として管周方向に回転する。なお、モータ９の中心を素管８が通過する。また、転圧ボール５の管引抜き方向下流側には、内面にフィンを形成された素管８の外径を所定の寸法に縮管加工する仕上げダイス７が素管８に接して設けられている。
【００２６】
上記構成の内面溝付管の加工装置を用いた加工方法は以下の通りである。フローティングプラグ２は素管８の先端内に挿入されその位置を機械的又は磁気的な手段により保持されている。そして、この状態から素管８の先端が保持ダイス１を通し仕上げダイス７へと供給され、またフローティングプラグ２の保持が開放される。この後、素管８の引抜き開始の移動に伴ってフローティングプラグ２が保持ダイス１と対応する位置まで移動する。そしてこの後の引抜きにより、素管８はフローティングプラグ２及び保持ダイス１により縮管加工され、更に後続する転圧ボール５により縮管されると共に、この転圧ボール５による圧下力を受けて素管８の内部に配置されている溝付プラグ３に押圧される。
【００２７】
上記溝付プラグ３は連結軸４を介してフローティングプラグ２に連結されており、フローティングプラグ２は素管８の引抜きによる摩擦力と、保持ダイス１からの抗力とにより保持ダイス１と対応する位置に静止しているので、溝付プラグ３も転圧ボール５と対応する位置に止まっている。一方、転圧ボール５は、往復駆動手段１０により管軸方向に往復駆動され加工リング２１と共に溝付プラグ３の溝パターン３Ａ，３Ｂの何れかの外周の所定位置に往復移動可能に保持されている。
【００２８】
従って、転圧ボール５を溝付プラグ３の溝パターン３Ａの所定位置に保持すると共に素管８の外周面に転接して円周方向に回転駆動すると、溝付プラグ３との共働作用により、素管８の内周面に溝付プラグ３の外周面に形成されている溝パターン３Ａの溝形状が転写されてフィン６Ａが形成され、次いで、転圧ボール５を移動して溝付プラグ３の溝パターン３Ｂの所定位置に保持すると共に素管８の外周面に転接して円周方向に回転駆動すると、溝付プラグ３との共働作用により、素管８の内周面に溝付プラグ３の外周面に形成されている溝パターン３Ｂの溝形状が転写されてフィン６Ｂが形成される。この後、転圧ボール５の往復移動を繰り返すことで、図３に示すように、素管８の内面にフィン６Ａ，６Ｂを交互に形成する。前記回転駆動時、溝付プラグ３は素管８を引抜くことにより、溝付プラグ３の周面に刻まれた溝により回転する。また、内面にフィン６Ａ，６Ｂを交互に形成された素管８は仕上げダイス７により縮管加工され、所望の外径を有する内面溝付管が製造される。
【００２９】
なお、上記例では、溝付プラグ３の外周面に形成した溝パターンは前後に２つの溝パターンを松葉状に形成した場合を例としたが、図４に示すようにリード角を異にして連続した溝パターンとしてもよいし、図５に示すように中央部に平滑部を残しその前後に２つの溝パターンを松葉状に形成したものでもよいし、図６に示すように４つの溝パターンを連続して形成したものでもよい。
【００３０】
また、上記例では、溝付プラグ３を位置固定し、転圧ボール５側を管軸方向に往復移動させる例を説明したが、図７に示すように、転圧ボール５を位置固定し、保持ダイス１を収容保持している図示省略するダイホルダを管軸方向に往復移動可能に設けることで、溝付プラグ３側を管軸方向に往復移動させるように構成してもよい。この場合の溝付プラグ３の移動例を図８乃至１０に示す。図８の移動例は第１と第２の溝パターンを管軸方向に等間隔で成形する場合の例、図９の移動例は第１の溝パターンを第２の溝パターンより管軸方向に長い間隔で成形する場合の例、図１０の移動例は溝付プラグ３に形成した第１〜第４の４つの溝パターンを成形する場合の例である。
【００３１】
因みに、以下のような条件による内面溝付加工が例示できる。
（１）素管条件
材質：銅
寸法：外径８．０ｍｍ、管肉厚０．３ｍｍ
（２）溝付プラグ３の条件（図１１の３つの溝パターンの場合）
溝パターンＡ：外径７．２ｍｍ、溝数５０、リード角１５°、長さ７ｍｍ
溝パターンＢ：外径７．２ｍｍ、溝数５０、リード角５°、長さ２ｍｍ
溝パターンＣ：外径７．２ｍｍ、溝数５０、リード角−１５°、長さ７ｍｍ
なお、溝パターンＡと溝パターンＣのリード角は向きが逆になる。
（３）加工条件
引抜速度：５０ｍ／分
転圧ボール回転速度：２００００ｒ．ｐ．ｍ．
ボール個数：４個
【００３２】
上記条件において、図１１に示す溝付プラグ３の軸方向中央部を初期転圧ボール位置（転圧ボールの往復移動基準位置）とし、素管を４００ｍｍ引抜いた後より転圧ボール位置の移動を図１２に示すように行うと同時に溝加工を行った。その結果、図１３に示すように、管軸方向に連続して交互に内面溝形状が変化した内面溝付管が得られた。なお、図１２の縦軸における符号１の位置は溝パターンＣと溝パターンＢの境界位置、符号−１の位置は溝パターンＢと溝パターンＡの境界位置をそれぞれ示す。
【００３３】
図１４は、本発明に係る内面溝付管の加工方法（請求項２）を説明するための内面溝加工部の断面説明図である。この図に示す内面溝加工部を除く装置全体のの基本構成は、上記図１に示す内面溝付管の加工装置と同じ構成である。
【００３４】
上記図１に示す内面溝付管の加工装置における内面溝加工部は、転圧ボール５を収容した加工リング２１と、円筒状の駆動軸２２を磁場により回転させるコイル２３を有するモータ９と、溝パターン３Ａ，３Ｂが形成された溝付プラグ３とを有し、素管８内の溝付プラグ３を位置固定し、素管８の外周側の加工リング２１とモータ９を管軸方向に往復移動可能とする構成としたが、本例における内面溝加工部は、素管８内の溝付プラグ３は同様に位置固定にするとともに、素管８の外周側の加工リング２１とモータ９を位置固定にすると同時に、転圧ボール５の回転軌道の中心軸２４が、溝付プラグ３の溝パターン３Ａと３Ｂの境において管軸２５と交叉角θで交叉するように加工リング２１とモータ９を保持する構成としたものである。
【００３５】
上記構成の内面溝付管の加工装置を用いた加工方法では、転圧ボール５の回転軌道は管軸方向から見た場合、楕円軌道となっており、これにより楕円の短径側に当たる図における上側に回転してくる転圧ボール５は素管８の内面を溝付プラグ３の溝パターン３Ａに押圧して溝パターン３Ａを転写して形成し、図における下側に回転してくる転圧ボール５は素管８の内面を溝付プラグ３の溝パターン３Ｂに押圧して溝パターン３Ｂを転写して形成する。一方、楕円の長径側に当たる図における中央部の長径は素管８の外径より大きく構成されているので、素管８の内面を溝付プラグ３に押圧することが無い。
【００３６】
上記のようにして形成された素管８の内面の溝形状は、図１５に示す通りであって、溝パターン３Ａの溝形状と溝パターン３Ｂの溝形状が等幅で隣合って螺旋状に転写された溝形状となる。
【００３７】
なお、上記例において、転圧ボール５の交叉位置を図１６に示すように溝パターンＢ寄りに位置すると、図１７に示すように、溝パターンＡの転写された溝形状幅は狭く、また溝パターンＢの転写された溝形状幅は広く形成でき、転圧ボール５の交叉位置を溝付プラグ３の溝パターンＡとＢをまたぐ適宜の位置に固定することで溝形状幅の適宜の組み合わせの内面溝付管が製造できる。また、溝付プラグ３として、上記図４乃至図６に示したものも使用することは可能である。
【００３８】
因みに、以下のような条件による内面溝付加工が例示できる。
（１）素管条件
材質：銅
寸法：外径８．０ｍｍ、管肉厚０．３ｍｍ
（２）溝付プラグ３の条件（図１８の２つの溝パターンの場合）
溝パターンＡ：外径７．２ｍｍ、溝数５０、リード角１５°、長さ８ｍｍ
溝パターンＢ：外径７．２ｍｍ、溝数５０、リード角−１５°、長さ８ｍｍ
なお、溝パターンＡと溝パターンＢのリード角は向きが逆になる。
（３）加工条件
引抜速度：５０ｍ／分
転圧ボール回転速度：２００００ｒ．ｐ．ｍ．
ボール個数：４個
交叉角度θ：１５°
【００３９】
上記条件によって形成された素管８の内面溝形状を図１９に示す。溝パターンＡと溝パターンＢの溝形状が同じ幅で螺旋状に転写形成されている。
【００４０】
【発明の効果】
以上説明したように、本発明に係る内面溝付管の加工方法によれば、比較的簡便な構造でもって、管内面に、管軸方向に複数の異なる溝パターンを持つ内面溝、あるいは連続的に変化した溝パターンを持つ内面溝を転写形成できるとともに、転写形成された溝は、溝変化が大きく、冷媒の乱流をより活発化させ得る。また、選択し得る溝パターンも従来に比して自由度が増える。
【図面の簡単な説明】
【図１】本発明に係る内面溝付管の加工方法を実施するための装置の一例を示す概略断面図である。
【図２】本発明に係る内面溝付管の加工方法に使用される溝付プラグの正面図である。
【図３】本発明に係る内面溝付管の加工方法により形成された素管内面の溝形状の説明図であって、ａは溝幅を変えた場合、ｂは溝幅を等しくした場合の図である。
【図４】本発明に係る内面溝付管の加工方法に使用される別の実施形態の溝付プラグの正面図である。
【図５】本発明に係る内面溝付管の加工方法に使用される別の実施形態の溝付プラグの正面図である。
【図６】本発明に係る内面溝付管の加工方法に使用される別の実施形態の溝付プラグの正面図である。
【図７】本発明に係る内面溝付管の加工方法を実施するための、別の実施形態の装置の一例を示す概略断面図である。
【図８】図７に示す装置による内面溝付管の加工方法に適用される溝付プラグの移動パターンの説明図である。
【図９】図７に示す装置による内面溝付管の加工方法に適用される、別の実施形態の溝付プラグの移動パターンの説明図である。
【図１０】図７に示す装置による内面溝付管の加工方法に適用される、別の実施形態の溝付プラグの移動パターンの説明図である。
【図１１】本発明に係る内面溝付管の加工方法に使用される別の実施形態の溝付プラグの正面図である。
【図１２】図７に示す装置による内面溝付管の加工方法に図１１の溝付プラグを適用して加工する際の溝付プラグの移動パターンの説明図である。
【図１３】図７に示す装置による内面溝付管の加工方法に図１１の溝付プラグを適用して加工した場合の素管内面の溝形状の説明図である。
【図１４】本発明に係る内面溝付管の加工方法を説明するための内面溝加工部の断面説明図である。
【図１５】図１４に示す装置による内面溝付管の加工方法により形成された素管内面の溝形状の説明図である。
【図１６】本発明に係る内面溝付管の加工方法を説明するための、別の実施形態の内面溝加工部の断面説明図である。
【図１７】図１６に示す装置による内面溝付管の加工方法により形成された素管内面の溝形状の説明図である。
【図１８】図１４に示す装置による内面溝付管の加工方法に適用する溝付プラグの正面図である。
【図１９】図１４に示す装置による内面溝付管の加工方法に図１８の溝付プラグを適用して加工した場合の素管内面の溝形状の説明図である。
【図２０】従来の内面溝付管の加工装置を示す管中心軸方向の模式的断面図である。
【符号の説明】
１：保持ダイス          ２：フローティングプラグ
３：溝付プラグ          ３Ａ，３Ｂ：溝パターン  ４：連結軸
５：転圧ボール          ６Ａ，６Ｂ：フィン      ７：仕上げダイス
８：素管                ９：モータ            １０：往復駆動手段
２１：加工リング        ２２：駆動軸            ２３：コイル
２４：中心軸            ２５：管軸                θ：交叉角度
Ａ，Ｂ，Ｃ：溝パターン
【図１】
0004588267.tif 000002
【図２】
0004588267.tif 000003
【図３】
0004588267.tif 000004
【図４】
0004588267.tif 000005
【図５】
0004588267.tif 000006
【図６】
0004588267.tif 000007
【図７】
0004588267.tif 000008
【図８】
0004588267.tif 000009
【図９】
0004588267.tif 000010
【図１０】
0004588267.tif 000011
【図１１】
0004588267.tif 000012
【図１２】
0004588267.tif 000013
【図１３】
0004588267.tif 000014
【図１４】
0004588267.tif 000015
【図１５】
0004588267.tif 000016
【図１６】
0004588267.tif 000017
【図１７】
0004588267.tif 000018
【図１８】
0004588267.tif 000019
【図１９】
0004588267.tif 000020
【図２０】
0004588267.tif 000021